(57)【特許請求の範囲】
【請求項１】
広告情報を印刷した紙片Ａ、前記紙片Ａに印刷された広告情報とは異なる広告情報を印刷した紙片Ｂ、及び、その他の情報を印刷した複数の紙片から構成された本であって、
前記広告情報を印刷した紙片ＡとＢの位置のみが入れ代わった２種の本を、２台の製本ラインを用いて製造する本の製造方法において、
前記紙片Ａと、紙片Ｂと、その他の情報を印刷した複数の紙片を印刷する工程と、
次に、１台の製本ラインでは広告情報を印刷した紙片Ａが本の前半に位置し、広告情報を印刷した紙片Ｂが本の後半に位置する本を製本し、もう１台の製本ラインでは広告情報を印刷した紙片Ｂが本の前半に位置し、広告情報を印刷した紙片Ａが本の後半に位置する本を製本する工程と、
次に、各々の搬送ラインの途中にお互いのラインに流れる本が交互に一つづつ流れるように進路を変更する手段により、お互いのラインに流れる本が交互に一つづつ流れる工程と、
次に、広告情報を印刷した紙片ＡとＢの位置のみが入れ代わった２種の本が交互に積層される工程と、
を有することを特徴とする本の製造方法。
【請求項２】
広告情報を印刷した紙片Ａ、前記紙片Ａに印刷された広告情報とは異なる広告情報を印刷した紙片Ｂ、及び、その他の情報を印刷した複数の紙片から構成された本であって、
製本機のホッパーに、隣り合わせて２つずつ順番に置かれた折丁を、２つずつ同時に丁合し、２冊の本を１サイクルで同時に完成させるダブル丁合機能を有する製本機を用いて、
前記紙片ＡとＢの位置のみが入れ代わった２種の本を製造する本の製造方法において、
前記紙片Ａを含み丁合時に最初に丁合される１折ａ用印刷紙片と、
前記紙片Ａの代わりに前記紙片Ｂを含み、丁合時に前記１折ａの隣に置かれて最初に丁合される１折ｂ用印刷紙片と、
前記紙片Ａを含み丁合時に最後に丁合されるｎ折ａ用印刷紙片と、
前記紙片Ａの代わりに紙片Ｂを含み、丁合時に前記ｎ折ａの隣に置かれて最後に丁合されるｎ折ｂ用印刷紙片と、
を印刷する工程と、
次に、前記１折ａ用印刷紙片と、前記１折ｂ用印刷紙片と、前記ｎ折ａ用印刷紙片と、ｎ折ｂ用印刷紙片と、を折畳むことによって、１折ａ、１折ｂ、ｎ折ａ、及び、ｎ折ｂを作成する、印刷紙片を折畳む工程と、
次に、前記ダブル丁合機能を有する製本機のホッパーに、少なくとも、１折ａと１折ｂがこの順で隣接するように装荷し、かつ、ｎ折ｂとｎ折ａがこの順で隣接するように装荷する工程と、
次に、前記ダブル丁合機能を有する製本機を用いて、広告情報を印刷した紙片ＡとＢの位置のみが入れ代わった２種類の本を製本する工程と、
次に、広告情報を印刷した紙片ＡとＢの位置のみが入れ代わった２種類の本が交互に積層される工程と、
を有することを特徴とする本の製造方法。
【発明の詳細な説明】
【０００１】
【発明の属する技術分野】
本発明は本の製造方法に関するもので、特に内容が同じで少なくとも２種類の広告情報を印刷した紙片の位置のみが前半と後半で入れ代わった本の製造方法に関する。
【０００２】
【従来の技術】
週刊誌，月刊誌，その他の雑誌等において、広告情報を印刷した紙片が複数あり、この広告情報を印刷した紙片の位置がどの位置にあるかにより広告の読者に与える効果に差があり、本の前半か後半か、特に本の前から１／３と後から１／３の場所にあるかにより、広告の読者に与える効果に大きな差があり、値段で差があるもののお得意先に公平に掲載できないという問題があった。また、上記の本の中にはテレビ番組のように地域により内容が異なるものには、一部内容を変更した例えば関東版，関西版としたものは存在していた。しかしこれらの本は異なる本と認識されていた。よって、従来は本の内容が同じで広告情報を印刷した紙片の位置のみが異なる本という発想は全く考えられていなかった。したがって、そのような本の製造方法もなかった。
【０００３】
【発明が解決しようとする課題】
本発明は、以上の問題点を解決すべく、お得意先に公平な広告情報を印刷した紙片の位置を有する本の製造方法を提供することを課題とする。
【０００４】
【課題を解決するための手段】
広告情報を印刷した紙片Ａ、広告情報を印刷した紙片Ｂ、及び、その他の情報を印刷した複数の紙片から構成された本であって、前記広告情報を印刷した紙片ＡとＢの位置のみが入れ代わった２種の本を、２台の製本ラインを用いて製造する本の製造方法において、前記紙片Ａと、紙片Ｂと、その他の情報を印刷した複数の紙片を印刷する工程と、次に、１台の製本ラインでは広告情報を印刷した紙片Ａが本の前半に位置し、広告情報を印刷した紙片Ｂが本の後半に位置する本を製本し、もう１台の製本ラインでは広告情報を印刷した紙片Ｂが本の前半に位置し、広告情報を印刷した紙片Ａが本の後半に位置する本を製本する工程と、次に、各々の搬送ラインの途中にお互いのラインに流れる本が交互に一つづつ流れるように進路を変更する手段により、お互いのラインに流れる本が交互に一つづつ流れる工程と、次に、広告情報を印刷した紙片ＡとＢの位置のみが入れ代わった２種の本が交互に積層される工程と、を有することを特徴とする本の製造方法である。
【０００５】
また、広告情報を印刷した紙片Ａ、前記紙片Ａに印刷された広告情報とは異なる広告情報を印刷した紙片Ｂ、及び、その他の情報を印刷した複数の紙片から構成された本であって、製本機のホッパーに、隣り合わせて２つずつ順番に置かれた折丁を、２つずつ同時に丁合し、２冊の本を１サイクルで同時に完成させるダブル丁合機能を有する製本機を用いて、前記紙片ＡとＢの位置のみが入れ代わった２種の本を製造する本の製造方法において、前記紙片Ａを含み丁合時に最初に丁合される１折ａ用印刷紙片と、前記紙片Ａの代わりに前記紙片Ｂを含み、丁合時に前記１折ａの隣に置かれて最初に丁合される１折ｂ用印刷紙片と、前記紙片Ａを含み丁合時に最後に丁合されるｎ折ａ用印刷紙片と、前記紙片Ａの代わりに紙片Ｂを含み、丁合時に前記ｎ折ａの隣に置かれて最後に丁合されるｎ折ｂ用印刷紙片と、を印刷する工程と、次に、前記１折ａ用印刷紙片と、前記１折ｂ用印刷紙片と、前記ｎ折ａ用印刷紙片と、ｎ折ｂ用印刷紙片と、を折畳むことによって、１折ａ、１折ｂ、ｎ折ａ、及び、ｎ折ｂを作成する、印刷紙片を折畳む工程と、次に、前記ダブル丁合機能を有する製本機のホッパーに、少なくとも、１折ａと１折ｂがこの順で隣接するように装荷し、かつ、ｎ折ｂとｎ折ａがこの順で隣接するように装荷する工程と、次に、前記ダブル丁合機能を有する製本機を用いて、広告情報を印刷した紙片ＡとＢの位置のみが入れ代わった２種類の本を製本する工程と、次に、広告情報を印刷した紙片ＡとＢの位置のみが入れ代わった２種類の本が交互に積層される工程と、を有することを特徴とする本の製造方法である。
【０００６】
【発明の実施の形態】
本願発明は、図１に示すように、２台の製本機１を用いて、例えば１台には１折ａ（印刷情報を印刷した紙片Ａを含む折丁）、２折、……、（ｎ−１）折、ｎ折ｂ（印刷情報を印刷した紙片Ｂを含む折丁）をホッパー２に装架し、もう１台には１折ｂ（印刷情報を印刷した紙片Ｂを含む折丁）、２折、……、（ｎ−１）折、ｎ折ａ（印刷情報を印刷した紙片Ａを含む折丁）をホッパーに装架して、各々製本を行うと前者は広告情報を印刷した紙片Ａが前半にあり広告情報を印刷した紙片Ｂが後半に位置した本が出来、後者は広告情報を印刷した紙片Ｂが前半にあり広告情報を印刷した紙片Ａが後半に位置した本が出来る。これらの本は、内容は全て同じで広告情報を印刷した紙片ＡとＢの位置のみが入れ代わったものである。図５にその本の説明図を示した。各々の製本機から搬送ライン３で搬送し、搬送ラインのいずれかで、交互に進路変更手段４を用いて進路を変更し、各々広告情報を印刷した紙片の位置が異なるものが一つおきに流れ、集積梱包部５で梱包される。この例では広告情報を印刷した紙片を１折とｎ折としたが、限定されるものではない。
【０００７】
前記進路変更手段４は、変更しようとする２系統の搬送路を接近させ、タイミングをとってプッシャーで相互に本を押して変更する方法、またはタイミングをとってアームで相互に本を引っ張って変更する方法、さらにまたコンベアを２ラインで上下対称の上下から挟む構造とし、２種類の本を挟んだ状態で一旦停止して１８０°回転させて同時に交互に本を入れ換える方法等があるが、特に限定されるものではない。また、進路変更は相互にやらずに片方の流れの中に一つおきにもう片方を入れて流れをその後一本にしてもよい。しかし、作業的にはデリバリが２系統の方が好ましい。また、丁合後本にするまでの間で進路を２台の製本機間で交換することも可能である。
【０００８】
また本願発明は、図２に示すように、ダブル丁合機能を有する製本機１０を２台用いて、１台で隣同士の折丁を２部ずつ重ねて１ａ，１ｂという２種類の丁合された束６を作り、もう１台で２ａ，２ｂという２種類の丁合された束６を作って、これらを一緒にして１ａ＋１ｂと２ａ＋２ｂとして同時に２種類の本を交互に得るものである。例えば図２に示すように、１折〜５折からなる本を製本する場合に、一方には３折，なし、２折，なし、１折ｂ，１折ａというようにホッパー２に装架し、もう一方には４折，２折、５折ａ，３折、なし，４折、なし，５折ｂというように装架した。これを丁合すると１ａ（１折ａ）、１ｂ（１折ｂ，２折，３折）と２ａ（２折，３折，４折，５折ｂ）、２ｂ（４折，５折ａ）となる。これより、１ａ＋２ａは（１折ａ，２折，３折，４折，５折ｂ）となり、１ｂ＋２ｂは（１折ｂ，２折，３折，４折，５折ｂ）となり、広告情報を印刷した紙片ＡとＢの位置のみが入れ代わった本が交互に製造可能になる。ここで、１折ａは広告情報を印刷した紙片Ａが含まれる折丁である。１折ｂは広告情報を印刷した紙片Ｂが含まれる折丁である。５折ａは広告情報を印刷した紙片Ａが含まれる折丁である。５折ｂは広告情報を印刷した紙片Ｂが含まれる折丁である。
【０００９】
ここで、１ａ，１ｂ，２ａ，２ｂの折丁の数を異なるようにしたのは、正常な組合わせにならなかった場合、本の厚さを測定することにより容易に乱丁が見つかるからである。仮に１ａ＋２ａが１ａ＋２ｂになったとすると、出来上がる本は、（１折ａ，２折，３折，４折，５折ｂ）が（１折ａ，４折，５折ａ）となり厚さが全く異なることになる。１ｂ＋２ａも同様に厚さが厚くなり容易に乱丁が見つかるものである。ここでは５つの折丁を用い、１折と５折で広告情報を印刷した紙片が入れ代わった例を示したが、折丁の数が変わったり、広告情報を印刷した紙片の入る折丁の折も前半と後半の任意の位置に入っても差し支えないものである。
【００１０】
また本願発明は、図３に示すように、ダブル丁合機能を有する製本機１０を１台用いて、広告情報を印刷した紙片を含む折丁の折（この場合１折と５折）の所を異なる折丁とし、１サイクルで広告情報を印刷した紙片の位置のみが入れ代わった２種類の本を交互に得るものである。製本機で丁合すると、３ａ（１折ａ，２折，３折，４折，５折ｂ）と３ｂ（１折ｂ，２折，３折，４折，５折ａ）ができ、この後既知の製本工程（省略した）で広告情報を印刷した紙片の位置のみが入れ代わり、内容は全て同じ本を交互に製造することができる。ここで、１折ａは広告情報を印刷した紙片Ａを含む折丁である。１折ｂは広告情報を印刷した紙片Ｂを含む折丁である。５折ａは広告情報を印刷した紙片Ａを含む折丁である。５折ｂは広告情報を印刷した紙片Ｂを含む折丁である。また、この例では１折と５折に広告情報を印刷した紙片を入れたがこれに限定されるものではない。また、折丁の数も本の頁数により増減するものである。さらに、折丁の数が多くて１台でホッパーが不足の場合は、ダブル丁合機能を有する製本機を２台用いて製本することも可能である。
【００１１】
以上平綴じ，無線綴じの場合を説明してきたが、中綴じの場合は一つの折丁の前半部と後半部で広告情報を印刷した紙片を入れ換えて２種類作製し、この折丁を用いて中綴じ用製本機を使用すれば同じ考え方で、図６に示すような本の内容が全て同じで広告情報を印刷した紙片のみが入れ代わった中綴じ本が容易に作製できる。
【００１２】
【実施例】
以下図面を用いて本発明の実施例を説明する。
＜実施例１＞市販の平綴じ機を用いて図５に示すような２種類の本を作製した。折丁は１折ａ，１折ｂ，２折，３折，……，１０折，１１折，１２折，１３折ａ，１３折ｂの１５種類印刷した。表紙も別に用意した。１折ａには広告情報を印刷した紙片Ａを入れ、１折ｂには広告情報を印刷した紙片Ａの代わりに広告情報を印刷した紙片Ｂが入っている。また、１３折ａには広告情報を印刷した紙片Ａを入れ、１３折ｂには広告情報を印刷した紙片Ａの代わりに広告情報を印刷した紙片Ｂが入っている。１折ａ，１折ｂは広告情報を印刷した紙片以外は全て同じであり、１３折ａ，１３折ｂは広告情報を印刷した紙片以外は全て同じである。図１のように２台の製本機に、一方には１折ａ，２折，３折，……，１０折，１１折，１２折，１３折ｂを装架し、他方には１折ｂ，２折，３折，……，１０折，１１折，１２折，１３折ａを装架した。各々省略した製本工程をとおり図５に示すような本が製本され、搬送ライン上を流れてくる。これらを搬送ラインの途中で交互に進路変更手段４で進路を変更し、それぞれのライン上で図５に示す２種類の本が交互に流れるようにした。前記進路変更手段４は図４に示すような進路変更部分で、コンベア７上を流れてきた本８を速度がコンベア７より速く、左右のコンベアでさらに速度の異なるコンベア９によりコンベア上の位置がずらされて、駆動ローラ１１上に進む。該駆動ローラ上ではタイミングを取り、一個おきにプッシャー１２により本をプッシュして交互に進路を交換する。これにより２つのコンベア１３上の本は広告情報を印刷した紙片のみが入れ代わった２種類の本が交互に流れ、容易に集積梱包して図５に示すような本が交互に重ねられて得られた。ここで、コンベア１３の速度は他の搬送手段より速くしないと本がつまってしまう。
【００１３】
＜実施例２＞実施例１で用いた折丁を使用し、図２と同様に１ａ，１ｂ側のダブル丁合機能を有する製本機１０に、（５折，なし、４折，なし、３折，３折、２折，２折、１折ｂ，１折ａ）と順に装架し、２ａ，２ｂ側のダブル丁合機能を有する製本機１０に、（なし，４折、なし，５折、６折，６折、７折，７折、８折，８折、９折，９折、１０折，１０折、１１折，１１折、１２折，１２折、１３折ａ，１３折ｂ）と順に装架して丁合した。これにより、１ａは１折ａ，２折，３折となり、１ｂは１折ｂ，２折，３折，４折，５折となり、２ａは４折，５折，６折，７折，８折，９折，１０折，１１折，１２折，１３折ｂとなり、２ｂは６折，７折，８折，９折，１０折，１１折，１２折，１３折ａとなった。これを１ａ＋２ａ、１ｂ＋２ｂとして製本し、広告情報を印刷した紙片のみが入れ代わった２種類の本が交互に流れ、容易に集積梱包して図５に示すような本が交互に重ねられて得られた。また、乱丁になった場合厚さを測定して容易に検出できた。
【００１４】
＜実施例３＞市販の図３に概念説明図を示すようなダブル丁合機能を有する平綴じ機を用いて図５に示すような２種類の本を作製した。折丁は１折ａ，１折ｂ，２折，３折，４折，５折ａ，５折ｂの７種類印刷した。表紙も別に用意した。１折ａには広告情報を印刷した紙片Ａを入れ、１折ｂには広告情報を印刷した紙片Ａの代わりに広告情報を印刷した紙片Ｂが入っている。また、５折ａには広告情報を印刷した紙片Ａを入れ、５折ｂには広告情報を印刷した紙片Ａの代わりに広告情報を印刷した紙片Ｂが入っている。１折ａ，１折ｂは広告情報を印刷した紙片以外は全て同じであり、５折ａ，５折ｂは広告情報を印刷した紙片以外は全て同じである。ホッパー２に図３のように折丁を装架し、丁合された束６を得た。これらは、３ａが１折ｂ，２折，３折，４折，５折ａであり、３ｂが１折ａ，２折，３折，４折，５折ｂとなった。これらを通常の製本工程にて本にして搬送ライン３により積層梱包部５で梱包した。これにより、広告情報を印刷した紙片のみが入れ代わった２種類の本が交互に流れ、容易に集積梱包して図５に示すような本が交互に重ねられて得られた。
【００１５】
【発明の効果】
請求項１の発明は、普通の平綴じ，無線綴じ機を２台用いて、搬送ラインの途中で進路変更手段を用いてお互いの進路を変更することにより、容易に本全体の内容は同じで広告情報を印刷した紙片の位置のみが前半と後半で入れ代わった本が交互に積層されて製造できる。請求項２の発明は、市販のダブル丁合機能を有する製本機を用いて、容易に本全体の内容は同じで広告情報を印刷した紙片の位置のみが前半と後半で入れ代わった本が交互に積層されて製造できる。
【図面の簡単な説明】
【図１】本発明の本の製造方法の一実施例を示す説明図である。
【図２】本発明の本の製造方法の別の一実施例を示す説明図である。
【図３】本発明の本の製造方法のさらに別の一実施例を示す説明図である。
【図４】本発明の本の製造方法の進路変更手段の一実施例を示す平面説明図である。
【図５】本発明の製造方法で製造される本の説明図である。
【図６】本発明の製造方法で製造される本の説明図である。
【符号の説明】
１…製本機２…ホッパー３…搬送ライン４…進路変更手段５…集積梱包部６…丁合された束７，９，１３…コンベア８…本１０…ダブル丁合機能を有する製本機１１…駆動ローラ１２…プッシャー
【図１】
0003883595.tif 000002
【図２】
0003883595.tif 000003
【図３】
0003883595.tif 000004
【図４】
0003883595.tif 000005
【図５】
0003883595.tif 000006
【図６】
0003883595.tif 000007